(57)【要約】      （修正有）【課題】時刻に応じて打鳴し、かつ手動で解除可能としたハンマー機構周りに機能拡張部品を配置することにより、部品間の干渉を回避し、併せて省スペース化及び簡略化を可能とした時計を提供する。【解決手段】デジタル表示部の文字ディスクを周期的に順送りするためのステッパー機構を備える時計であって、文字ディスクが、周期的に回転駆動可能な表示制御駆動部により、表示歯車列を介して周期的ステップで回転駆動可能である。ばねハウジング１に内蔵された引張りばねにより、時計のムーブメントと、表示された時刻に応じて打鳴するハンマー機構とが駆動可能であり、解除素子が、手動で非解除位置から解除位置まで移動可能に配置され、解除素子の解除位置では、ハンマー機構が解除可能であると共に、表示制御駆動部又は表示歯車列が抑止可能である。【選択図】図１
2016118560.tif 000002
【特許請求の範囲】
【請求項１】
デジタル表示部の文字ディスクを周期的に順送りするためのステッパー機構を備える時計であって：周期的ステップで回転駆動可能な表示制御駆動部（31）が第１軸（32）上に配置され、該表示制御駆動部（31）により、表示歯車列を介して文字ディスクが周期的ステップで回転駆動可能であり；ばねハウジング（１）に内蔵された引張りばねにより、時計のムーブメントと、表示された時刻に応じて発音させるハンマー機構とが駆動可能であり；解除素子が、手動で非解除位置から解除位置まで移動可能に配置され、その解除位置では、前記ハンマー機構が解除可能であると共に前記表示制御駆動部（31）又は前記表示歯車列が抑止可能であることを特徴とする時計。
【請求項２】
請求項１に記載の時計であって、前記表示制御駆動部（31）は、単歯又は多歯制御駆動部（33）を有し、該制御駆動部（33）の歯（49）の周辺領域内外にて、ロック素子が周期的に旋回可能であると共に、前記解除素子が解除位置にあるときに切り替え抑止爪（60）が前記歯（49）の周辺領域内に旋回可能であることを特徴とする時計。
【請求項３】
請求項２に記載の時計であって、前記解除素子が、非解除位置及び解除位置の間で、所定の旋回軸（12）周りに旋回可能な解除ロッカー（11）として構成され、該解除ロッカー（11）により、前記切り替え抑止爪（60）が、前記旋回軸（12）と平行な爪軸（61）周りに旋回駆動可能であることを特徴とする時計。
【請求項４】
請求項３に記載の時計であって、前記解除ロッカー（11）が二腕アームとして構成され、その第１アーム（18）により前記ハンマー機構が解除可能であり、第２アーム（14）により前記切り替え抑止爪（60）が前記爪軸（61）周りに旋回駆動可能であることを特徴とする時計。
【請求項５】
請求項３又は４に記載の時計であって、前記ばねハウジング（１）がばねハウジング車（４）を有し、該ばねハウジング車（４）は、リューズにより、巻上げ輪列を介して、前記ばねハウジング車（４）に係合可能な第１クラウン車（５）で回転駆動可能であると共に、巻上げ方向への回転駆動により前記ばねハウジング（１）内の引張りばねが巻上げ可能であり；前記第１クラウン車（５）は、前記ばねハウジング車（４）の回転軸と平行なレバー旋回軸（20）周りに旋回可能なクラウン車レバー（７）上で、第１クラウン車軸（８）周りに旋回可能に支持され；前記クラウン車レバー（７）は、前記解除ロッカー（11）の前記第２アーム（14）により、前記第１クラウン車（５）が前記ばねハウジング車（４）に噛み合う係合位置と、前記第１クラウン車（５）が前記ばねハウジング車（４）に噛み合わない非係合位置との間で、前記レバー旋回軸（20）周りに旋回駆動可能であり；前記切り替え抑止爪（60）は、前記クラウン車レバー（７）がその非係合位置に旋回したときに、単歯又は多歯の制御駆動部（33）における歯（49）の周辺領域内に旋回可能であり、前記クラウン車レバー（７）がその係合位置に旋回したときに、前記単歯又は多歯の制御駆動部（33）における歯（49）の周辺領域外に旋回可能であることを特徴とする時計。
【請求項６】
請求項２〜５の何れか一項に記載の時計であって、前記切り替え抑止爪（60）が二腕アームとして構成され、その第１アームは、前記単歯又は多歯制御駆動部（33）の歯（49）の周辺領域内に旋回可能な爪アーム（62）として構成され、第２アームは、連結アーム（59）として構成され、かつ前記クラウン車レバー（７）により、その自由端が旋回負荷可能であることを特徴とする時計。
【請求項７】
請求項６に記載の時計であって、前記クラウン車レバー（７）は、レバー旋回軸（20）の半径方向において、前記連結アーム（59）の自由端が突入する連行スロット（58）を有することを特徴とする時計。
【請求項８】
請求項５〜７の何れか一項に記載の時計であって、リューズに連結された巻上げ輪列に含まれる第２クラウン車（９）が、前記レバー旋回軸（20）と同軸のクラウン車軸（10）周りに回転可能に支持されると共に、前記第１クラウン車（５）に係合することを特徴とする時計。
【請求項９】
請求項３〜８の何れか一項に記載の時計であって、前記解除ロッカー（11）の第２アーム（14）の端部に長孔（15）が形成され、該長孔（15）が、前記ばねハウジング車（４）に対して接線方向に、そして前記第２アーム（14）の旋回運動に対しては直交するように延び、前記長孔（15）には、前記第１クラウン車軸（８）に対して間隔を持たせた前記クラウン車レバー（７）に配置された連行ピン（16）が突入していることを特徴とする時計。
【請求項１０】
請求項９に記載の時計であって、前記連行ピン（16）が、前記クラウン車レバー（７）において、前記第１クラウン車軸（８）及び第２クラウン車軸（10）の間に配置されていることを特徴とする時計。
【請求項１１】
請求項９又は１０に記載の時計であって、前記連行ピン（16）上には、連行ローラ（17）が回転可能に支持されていることを特徴とする時計。
【請求項１２】
請求項１〜１１の何れか一項に記載の時計であって、前記ステッパー機構は、ステッパー装置により周期的に回転駆動可能であり、該ステッパー装置により、エスケープメント軸として機能する駆動軸（44）も周期的に回転駆動可能であり、これによりエスケープメントの蓄積ゼンマイ（34）が巻上げ可能であることを特徴とする時計。
【発明の詳細な説明】
【技術分野】
【０００１】
本発明は、デジタル表示部の文字ディスクを周期的に順送りするためのステッパー機構と、第１軸上に配置され、かつ周期的ステップで回転駆動可能な表示制御駆動部とを備え、この表示制御駆動部により文字ディスクを、表示歯車列を介して周期的ステップで回転駆動可能とした時計に関する。
【背景技術】
【０００２】
時計、特に腕時計では、時刻に応じて打鳴し、かつ手動で解除可能としたハンマー機構を装備することが往々にして望まれている。その場合、ハンマー機構の打鳴動作時にデジタル表示部の順送りが行われれば、周期的ステップで順送りされるデジタル表示部が、打撃回数を規定する部品、特にカム板又はクロージャーディスクとの間で干渉を生じることがある。
【発明の概要】
【発明が解決しようとする課題】
【０００３】
本発明の課題は、時刻に応じて打鳴し、かつ手動で解除可能としたハンマー機構周りに機能拡張部品を配置することにより、上述した部品間の干渉を回避し、併せて省スペース化及び簡略化も可能とした時計を提供することである。
【課題を解決するための手段】
【０００４】
この課題を解決するため、本発明によれば、時計がばねハウジングに内蔵された引張りばねを備え、この引張りばねにより、時計のムーブメントと、表示された時刻に応じて発音させるハンマー機構とが駆動可能であり、手動で非解除位置から解除位置まで移動可能な解除素子を備え、その解除素子の解除位置ではハンマー機構が解除可能であると共に表示制御駆動部又は表示歯車列が抑止可能である。
【０００５】
ばねハウジング内の引張りばねを、ムーブメントの駆動のみならず、ハンマー機構の駆動にも使用すれば、所要スペースを減少することができ、従って時計をコンパクトに構成することが可能となる。
【０００６】
表示制御駆動部又は表示歯車列がハンマー機構の作動中に自動的に抑止されることにより、表示制御駆動部又は歯車列によって駆動されると共に打撃回数を規定する部品、特にカム板又はクロージャーディスクが切り替わり不能となり、カム板又はクロージャーディスクに接触する部品との衝突が生じることがない。デジタル表示部の文字ディスクも、ハンマー機構が作動している間は切り替わることができないが、ハンマー機構の作動後には復元されるため、正確な時刻が再表示される。
【０００７】
表示制御駆動部は、単歯又は多歯の制御駆動部を有することができる。この場合、制御駆動部における歯の周辺領域内外にて、ロック素子が周期的に旋回可能であるだけでなく、解除素子が解除位置にあるときに切り替え抑止爪が旋回可能である。
【０００８】
これにより、上述した単歯又は多歯の制御駆動部は、構成の省スペース化及び簡略化を図りつつ、二重機能を持たせることが可能である。
【０００９】
解除素子は、非解除位置及び解除位置の間で、所定の旋回軸周りに旋回可能な解除ロッカーとして構成することができる。この場合、解除ロッカーにより、切り替え抑止爪が、解除ロッカーの旋回軸と平行な爪軸周りに旋回駆動可能である。
【００１０】
この場合にも、解除ロッカーは、構成の省スペース化及び簡略化を図りつつ、二重機能を持たせることが可能である。ハンマー機構の解除と、表示制御駆動部又は表示歯車列による抑止が単一の部品、即ち解除ロッカーにより行われるため、ハンマー機構の解除に際しては、表示制御駆動部又は表示歯車列が確実に抑止される。
【００１１】
簡単な実施形態では、上記の解除ロッカーが二腕アームとして構成され、その第１アームによりハンマー機構を解除可能であり、第２アームにより切り替え抑止爪が爪軸周りに旋回駆動可能である。
【００１２】
ばねハウジングは、ばねハウジング車を有する。このばねハウジング車は、リューズにより、巻上げ輪列を介して、ばねハウジング車に係合可能な第１クラウン車で回転駆動可能であると共に、巻上げ方向への回転駆動によりばねハウジング内の引張りばねが巻上げ可能である。第１クラウン車は、ばねハウジング車の回転軸と平行なレバー旋回軸周りに旋回可能なクラウン車レバー上で、第１クラウン車軸周りに旋回可能に支持されている。クラウン車レバーは、解除ロッカーの第２アームにより、第１クラウン車がばねハウジング車に噛み合う係合位置と、第１クラウン車がばねハウジング車に噛み合わない非係合位置との間で、レバー旋回軸周りに旋回駆動可能である。切り替え抑止爪は、クラウン車レバーがその非係合位置に旋回したときに、単歯又は多歯の制御駆動部の歯の周辺領域内に旋回可能である。他方、クラウン車レバーがその係合位置に旋回した状態では、切り替え抑止爪が単歯又は多歯の制御駆動部の歯の周辺領域外に旋回可能である。
【００１３】
この場合にも、構成の省スペース化及び簡略化を図りつつ、クラウン車レバーにはニ重機能を持たせることが可能になる。即ち、一方では、解除素子を作動させたときに表示制御駆動部又は表示歯車列が抑止され、他方では、リューズに連結された巻上げ輪列がばねハウジングから分離されるため、ばねハウジングにより駆動されたハンマー機構の作動に際して、リューズが一緒に回転することはない。
【００１４】
切り替え抑止爪は簡単な実施態様では二腕アームとして構成され、その第１アームは、単歯又は多歯の制御駆動部における歯の周辺領域内に旋回可能な爪アームとして構成され、第２アームは、クラウン車レバーにより遊端が旋回負荷可能な連結アームとして構成される。
【００１５】
この場合、クラウン車レバーの旋回負荷を簡略化するために、クラウン車レバーには、レバー旋回軸の半径方向において、連結アームの遊端が突入する連行スロットを設けることができる。
【００１６】
上記クラウン車レバー上に、リューズに連結された巻上げ輪列を構成する第２クラウン車が、レバー旋回軸と同軸状のクラウン車軸周りに回転可能に支持されると共に第１クラウン車に係合させる構成とすることができる。この場合、第１クラウン車がばねハウジング車から分離しても、第１クラウン車と巻上げ輪列との連結状態が維持される。そのため、第１クラウン車を後で再係合させる場合、ばねハウジング車にのみ係合させればよく、第１クラウン車をばねハウジング車及び巻上げ輪列に同期係合させる必要がない。
【００１７】
クラウン車レバーを旋回させるための簡略化した駆動部を実現するため、解除ロッカーの第２アームの端部には長孔を形成することができる。この長孔は、ばねハウジング車に対して接線方向に、そして第２アームの旋回運動に対しては直交するように延びている。その長孔には、第１クラウン車軸に対して間隔を持たせたクラウン車レバーに配置された連行ピンを突入させることができる。この連行ピンは、クラウン車レバーにおいて、第１クラウン車軸及び第２クラウン車軸の間に配置することができる。
【００１８】
この場合、長孔は、その一端をフォーク状に形成することができる。
【００１９】
連行ピン上に連行ローラを回転可能に支持させれば、摩擦損失を低減することができる。
【００２０】
特に時計の省スペース化を図る場合、ステッパー機構は、ステッパー装置により周期的ステップで回転駆動可能であり、更にステッパー装置により、エスケープメントのエスケープメント軸として機能する駆動軸も周期的に回転駆動可能であり、これによりエスケープメントの蓄積ゼンマイを巻上げ可能とすることができる。これにより、単一のステッパー装置によってのみ、文字ディスクが周期的ステップで順送りされるだけでなく、エスケープメントにおける蓄積ゼンマイの巻上げが生じる。
【図面の簡単な説明】
【００２１】
【図１】リピーター時計におけるエスケープメント、巻上げ輪列及び解除ロッカーを含むステッパー機構の斜視図である。
【図２】図１に示すステッパー機構のイベント直前位置における平面図である。
【図３】図１に示すステッパー機構のイベント直前位置における底面図である。
【図４】図１に示すステッパー機構のイベント直後位置における平面図である。
【図５】図１に示すステッパー機構のイベント直後位置における底面図である。
【図６】図１に示すステッパー機構をハンマー機構の解除後位置で示す平面図である。
【図７】図１に示すステッパー機構をハンマー機構の解除後位置で示す底面図である。
【発明を実施するための形態】
【００２２】
以下、本発明の実施形態を添付図面に基づいて詳述する。
【００２３】
各図は、円筒状のばねハウジング１を示す。ばねハウジング１の下端部には、ムーブメントを駆動する外歯２が配置されている。
【００２４】
ばねハウジング１内には、渦巻き状の引張りばね（図示せず）で包囲されたばねコア３が回転可能に配置されている。この引張りばねは、外端がばねハウジング１の内壁に、そして内端がばねコア３に固定されている。
【００２５】
ばねハウジング１から突出するばねコア３の上端部には、ばねハウジング車４が堅固に配置されている。ばねハウジング車４には、リピーター時計のリューズ（図示せず）に連結された巻上げ輪列を構成する第１クラウン車５が係合可能である。
【００２６】
ばねハウジング車４には、他の箇所においてハンマー機構駆動車６が係合している。
【００２７】
第１クラウン車５は、クラウン車レバー７上において、第１クラウン車軸８周りに回転可能に支持されている。第１クラウン車軸８は、ばねハウジング車４の軸、従ってばねコア３と平行に延びている。
【００２８】
クラウン車レバー７上には、第１クラウン車５に係合する（巻上げ輪列を構成する）第２クラウン車９が第２回転軸10周りに回転可能に支持されている。この場合、クラウン車レバー７全体は、第２クラウン車10と同軸状に延びるレバー旋回軸20周りに回転可能に支持されている。
【００２９】
クラウン車レバー７は、第１クラウン車５がばねハウジング車４に噛み合う係合位置と、噛み合わない非係合位置との間で旋回可能である。
【００３０】
第１クラウン車５がばねハウジング車４に噛み合う係合位置において、ばねハウジング１内の引張りばねは、巻上げ輪列と、第２クラウン車９及び第１クラウン車５を介して、リューズで巻上げ可能である。
【００３１】
クラウン車レバー７の旋回駆動部は、ばねハウジング１の半径方向外方において、ばねコア３と平行に配置された旋回軸12周りに旋回可能な解除ロッカー11として構成されている。解除ロッカー11は、二腕アームで構成されると共に、ばね13に抗して非解除位置から解除位置まで手動旋回可能である。
【００３２】
解除ロッカー11は、その第２アーム14の端部にフォーク状の長孔15を有する。長孔15は、ばねハウジング車４に対して接線方向に延びており、連行ピン16上に回転可能に支持された連行ローラ17が突入している。さらに、連行ピン16は、クラウン車レバー７において、第１クラウン車５及び第２クラウン車９の間にばねコア３と平行に配置されている。
【００３３】
解除ロッカー11の第１アーム18の遊端には、ラチェット車28に係合するラチェット爪19が配置されている。解除ロッカー11を非解除位置から解除位置まで旋回させると、一方では第１クラウン車５がばねハウジング車４から分離し、他方ではラチェット爪19がラチェット車28を回転させることによりハンマー機構が作動する。
【００３４】
ハンマー機構駆動車６には、更にフリーホイール21が設けられている。これにより、ばねハウジング車４が巻上げ方向に回転した場合に、ハンマー機構駆動車６の回転が、リピーター時計のハンマー機構（図示せず）に直結するハンマー機構駆動系に伝達されることはない。
【００３５】
ばねハウジング１により、中間ピニオン29を介して、駆動軸44上に堅固に配置された第１の小底車（三番車）30が回転駆動可能である。
【００３６】
第１の小底車30は、表示制御駆動部31に係合している。表示制御駆動部31は第１軸32上に回転可能に配置され、第１軸32の一端には単歯制御駆動部33が回転可能に配置されている。
【００３７】
表示制御駆動部33を起点とし、表示歯車列の表示駆動車（図示せず）が回転駆動可能とされ、これにより分表示ディスクが周期的に回転駆動可能である。
【００３８】
分表示ディスク上には、周方向に均等に割り当てられた０乃至９の数字が配置されている。この場合、表示される時分は、時計のカバー（図示せず）の窓を通して視認可能である。
【００３９】
単歯制御駆動部33は、ステッパー装置によって１分毎に回転する。これにより、単歯制御駆動部33が約20°に亘って突発的な回転運動を行うイベントが生じる。
【００４０】
ステッパー装置により、エスケープメント軸として機能する駆動軸44も１分毎に回転駆動され、エスケープメントの蓄積ゼンマイ34が巻上げられる。蓄積ゼンマイ34は、駆動軸44を包囲するように配置されている。蓄積ゼンマイ34の内端は、第２の小底車（三番車）35のハブに堅固に連結され、そのハブ上で第２の小底車35は駆動軸44上で回転自在に支持されている。
【００４１】
第２の小底車35により、秒車37が配置された第４軸36が継続的に回転駆動可能である。秒車37は、時計における振動機構のエスケープメントを構成するガンギ車38に係合している。
【００４２】
第４軸36の一方の端部領域には、偏心カム39が配置されている。偏心カム39は、三腕レバー42の第１アーム41の遊端におけるフォーク40に包囲されている。三腕レバー42は、第４軸36と平行なレバー軸43周りに旋回可能に支持されている。第４軸36を回転させた場合、第１アーム41は、偏心カム39により、第１端位置及び第２端位置の間で旋回する。
【００４３】
三腕レバー42における第２アーム45の遊端には、第１パレット46として構成された第１ロック素子が配置されている。また、第３アーム47の遊端には、第２パレット48として構成された第２ロック素子が配置されている。
【００４４】
三腕レバー42が第１端位置にあれば、第１パレット46は、第１軸32上に配置された単歯制御駆動部33における歯49の周辺領域内に旋回する。
【００４５】
三腕レバー42が第２端位置にあれば、第１パレット46は歯49の周辺領域から離れる。他方、第２パレット48は、第４軸36と平行な第５軸51に配置された第２単歯車50の歯53の周辺領域内に旋回する。
【００４６】
三腕レバー42が第１端位置にあれば、第２パレット48は、第２単歯車50における歯53の周辺領域から離れた箇所にある。
【００４７】
第２駆動車52は、第１の小底車30によって回転駆動可能であり、第５軸51で支持されている。
【００４８】
三腕レバー42が第１端位置にあれば、歯49が第１パレット46に当接することにより、単歯制御駆動部33の回転が抑止される。
【００４９】
これにより、第１軸32及び表示制御部31を介して第１の小底車30の回転も抑止される。従って、ばねハウジング１内における引張りばねの駆動によって第１の小底車30が蓄積ゼンマイ34を直接的に巻上げることがない。
【００５０】
ただし、蓄積ゼンマイ34によって負荷された第２の小底車35により、第４軸36が振動機構による制御下で継続的に回転駆動し、従って偏心カム39も回転駆動する。
【００５１】
このように、時計の振動機構によりエスケープメントの制御が行われる。
【００５２】
その際、偏心カム39により、三腕レバー42が第１端位置から第２端位置に向けて旋回する。
【００５３】
これにより、第１パレット46が歯49の周辺領域から分離し、単歯制御駆動部33が解放される。
【００５４】
この解放に伴い、第２パレット48が歯53の周辺領域に向けて移動する。
【００５５】
この場合、ばねハウジング１内の引張りばねのばね力により、第１の小底車30が駆動軸44と共に僅かに回転する。
【００５６】
その際に第２駆動車52は、歯53が第２パレット48に当接するまで、第５軸51を介して回転する。
【００５７】
その後、偏心カム39により、レバー42が第２端位置から第１端位置に旋回する。その際に、第１パレット46は歯49の周辺領域内に移動し、第２パレット48は歯53の周辺領域外に移動する。
【００５８】
この場合、単歯制御駆動部33の歯49が第１パレット46に当接し、従って単歯制御駆動部33及び第１の小底車30の回転が抑止されるまで、ばねハウジング１内の引張りばねのばね力により、駆動軸44、第１の小底車30、単歯制御駆動部33及び第２単歯車50が回転駆動する。
【００５９】
単歯制御駆動部33が一回転することにより、分表示ディスクも１数字分だけ回転する。
【００６０】
第１の小底車30が回転すれば、エスケープメント及び振動機構を秒車37によって継続的に駆動するための蓄積ゼンマイ34が周期的に巻上げられる。
【００６１】
第５軸51には、第２単歯車50と平行な減衰車54が配置されている。この減衰車54は、羽根車57を支持する羽根車軸56上に配置されたピニオン55に係合している。
【００６２】
エスケープメントの運動に際しては羽根車57も駆動されるため、エスケープメントの運動が減衰される。これにより、歯49，53がパレット46，48に強く衝突することがなく、従って跳ね返りが生じることもない。
【００６３】
クラウン車７は、レバー旋回軸20の半径方向外側で開放する連行スロット58を有し、この連行スロット58内には対応する連結アーム59が突入している。連結アーム59は、爪軸61周りに旋回可能に支持された切り替え抑止爪60の第１アームであり、切り替え抑止爪60の第２アームは爪アーム62として構成されている。この場合に爪アーム62は、非噛み合い位置から、単歯制御駆動部33における歯49の周辺領域の噛み合い位置に旋回可能であり、従って制御駆動部33の回転運動が抑止可能である。
【００６４】
これは、解除ロッカー11を非解除位置から解除位置に旋回させたときに、連行スロット58によって切り替え抑止爪60を噛み合い位置に旋回させるクラウン車レバー７も同時に旋回するからである。
【００６５】
解除ロッカー11を非解除位置まで復帰旋回させれば、切り替え抑止爪60が制御駆動部33を解放する非噛み合い位置まで再び旋回する。
【００６６】
図２及び図３において、制御駆動部33は、第１パレット46によって解放される直前の状態にある。第１パレット46が歯49の周辺領域から分離すると、第２パレット48が第２単歯車50の歯53の周辺領域内に移動する。第１パレット46によって制御駆動部33が解放されると、第２パレット48が第２単歯車50における歯53の周辺領域内に当接するまで、制御駆動部33及び第２単歯車50が約20°の角運動を生じる。即ち、いわゆるイベントが生じる。図２及び図３は、このイベントが生じる直前の状況を示す。
【００６７】
図４及び図５は、上記のイベントが生じた直後の状態を示す。この場合、秒車37は偏心カム39と共に回転し続ける。また三腕レバー42は、第２パレット48によって第２単歯車50を解放する。これに伴い、第１パレット46が制御駆動部33の歯49の周辺領域に向けて再び移動する。
【００６８】
ハンマー機構を作動させなければ、制御駆動部33及び第２単歯車50の歯49が第１パレット49に衝突するまで、残りの340°に亘って回転する。この場合、分表示ディスクが切り替わると共に、ハンマー機構を構成するカム板が１段だけ切り替わる。同時に、蓄積ゼンマイ34がばねハウジング１内の引張りばねにより巻上げられる。
【００６９】
ハンマー機構を解除ロッカー11により作動させれば、解除ロッカー11がその作動軸12周りに旋回する。解除ロッカー11の長孔15内では、連行ピン16上に配置された連行ローラ17が回転する。これにより、クラウン車レバー７が第２クラウン車軸10周りに旋回する。第１クラウン車５は、クラウン車レバー７上で回転可能に支持されているため、クラウン車レバー７と共に移動する。クラウン車レバー７を旋回させることにより、切り替え抑止爪60も旋回し、その爪アーム62が制御駆動部33の歯49の周辺領域に到達する。
【００７０】
解除ロッカー11の他方の端部には、解除ロッカー11の旋回運動に際して連行され、かつラチェット爪28に係合するラチェット爪19が配置されている。これにより、ラチェット車28が回転し、従ってハンマー機構が作動する。
【００７１】
図６及び図７は、ハンマー機構の作動状態を示す。この場合、ばねハウジング車４の回転により、ハンマー機構輪列が駆動される。ハンマー機構が作動している間、切り替え抑止爪60は、上述したイベントを許容するが、分表示ディスクの切り替わりは抑止される。即ち、イベントが生じた後に制御駆動部33及び第２単歯車50は、約6°に亘る角運動を引き続き生じるが、この6°に亘る角運動が生じた後、制御駆動部33の歯49は、切り替え抑止爪60の爪アーム62に衝突する。従って、分表示ディスクの送りが生じず、ハンマー機構を構成するカム板も切り替わりを生じることがない。これにより、解除ロッカー11の作動時に表示されている時刻が鐘により確実に告知される。ハンマー機構による打鳴の間、カム板は回転しないから、衝突による損傷を生じることもない。
【００７２】
時刻の切り替わりが抑止される間、秒車37及び偏心カム39は引き続き回転する。これらが蓄積ゼンマイ34によって駆動されるからである。従って、秒に関しては正確な時刻が維持される。ハンマー機構の作動終了に伴い、解除ロッカー11が元の位置に復帰移動する。これにより、第１クラウン車５がばねハウジング車４に再係合するように旋回し、遅延していた時刻の切り替わりが行われる。
【符号の説明】
【００７３】
１     ばねハウジング
２     外歯
３     ばね芯
４     ばねハウジング車
５     第１クラウン車
６     ハンマー駆動車
７     クラウン車レバー
８     第１クラウン車軸
９     第２クラウン車
10     第２クラウン車軸
11     解除ロッカー
12     解除ロッカーの旋回軸
13     ばね
14     第２アーム
15     長孔
16     連行ピン
17     連行ローラ
18     第１アーム
19     ラチェット爪
20     レバー旋回軸
21     フリーホイール
28     ラチェット車
29     中間ピニオン
30     第１の小底車
31     表示制御駆動部
32     第１軸
33     単歯制御駆動部
34     蓄積ゼンマイ
35     第２の小底車
36     第４軸
37     秒車
38     ガンギ車
39     偏心カム
40     フォーク
41     第１アーム
42     三腕レバー
43     レバー軸
44     駆動軸
45     第２アーム
46     第１パレット
47     第３アーム
48     第２パレット
49     単歯制御駆部動部の歯
50     第２単歯車
51     第５軸
52     第２駆動歯車
53     第２単歯車の歯
54     減衰車
55     ピニオン小車
56     羽根車軸
57     羽根車
58     連行スロット
59     連結アーム
60     切り替え抑止爪
61     爪軸
62     爪アーム
【図１】
2016118560.tif 000003
【図２】
2016118560.tif 000004
【図３】
2016118560.tif 000005
【図４】
2016118560.tif 000006
【図５】
2016118560.tif 000007
【図６】
2016118560.tif 000008
【図７】
2016118560.tif 000009